(57)【要約】【課題】着席している乗客の降車駅に関連する表示を行なうことができるようにして、立っている乗客が早期に席に座ることができるようにし、また、どの位置の座席が空席になりやすくなるかを車両の到着前に知ることができるようにして立っている乗客が容易に着席できるようにする。【解決手段】乗車履歴情報を記憶する乗車履歴情報記憶媒体１と、座席に着いた乗客の乗車履歴情報記憶媒体が記憶した乗車履歴情報を読み込む乗車履歴情報読込手段（２）と、乗車履歴読込手段で読み込んだ乗車履歴情報に基づいて、座席に着いた乗客が降車すると推定される降車駅の降車駅情報を作成する降車駅情報作成手段と、降車駅情報作成手段が作成した降車駅情報に基づいて所定の表示を行なう表示手段とを備え、乗客用の座席を備える乗物に対する座席状況の提供を行なう。【選択図】      図１
2009301499.tif 000002
【特許請求の範囲】
【請求項１】
乗客用の座席を備える乗物の座席状況提供システムであって、
乗車履歴情報を記憶する乗車履歴情報記憶媒体と、
前記座席に着いた乗客の乗車履歴情報記憶媒体が記憶した乗車履歴情報を読み込む乗車履歴情報読込手段と、
前記乗車履歴読込手段で読み込んだ乗車履歴情報に基づいて、前記座席に着いた乗客が降車すると推定される降車駅の降車駅情報を作成する降車駅情報作成手段と、
前記降車駅情報作成手段が作成した降車駅情報に基づいて所定の表示を行なう表示手段とを備えることを特徴とする座席状況提供システム。
【請求項２】
前記降車駅情報作成手段が、前記乗車履歴情報から乗客が乗った前記乗物に応じた乗車履歴を抽出する乗車履歴抽出手段と、
前記乗車履歴抽出手段で抽出した乗車履歴に、所定条件で優先順位を付与する順位付与手段と、を備え、
前記乗車履歴抽出手段で抽出された乗車履歴及び前記順位付与手段で付与された優先順位を含む降車駅情報を作成し、
前記表示手段が、前記降車駅情報の優先順位に基づいて所定の表示を行なう請求項１記載の座席情報提供システム。
【請求項３】
前記乗車履歴抽出手段が抽出した乗車履歴を集計する乗車履歴集計手段を備え、
前記順位付与手段が、前記乗車履歴集計手段で集計した乗車履歴の利用回数に基づいて優先順位を付与する請求項２記載の座席情報提供システム。
【請求項４】
前記順位付与手段が、前記乗車履歴集計手段で集計した乗車履歴のうち、前記利用回数が同数の乗車履歴に対し、最後の利用が新しい方の乗車履歴を含む前記集計した乗車履歴を上位とする優先順位を付与する請求項３記載の座席情報提供システム。
【請求項５】
前記降車駅情報作成手段を備える情報提供サーバと、
前記表示手段を有し、前記情報提供サーバと通信可能な通信端末とを備える請求項１〜４のいずれか一項に記載の座席情報提供システム。
【請求項６】
前記情報提供サーバが、
前記降車駅情報を前記乗物ごとに集約した乗物降車駅情報を作成する乗物降車駅情報作成手段と、
前記乗物降車駅情報作成手段が作成した乗物降車駅情報及び当該乗物降車駅情報に対応する乗物の乗物識別情報を関連付けた乗物情報を作成する乗物情報作成手段と、を備え、
前記通信端末の表示手段が、前記乗物情報を読み込むとともに、前記乗物情報の車両識別情報に基づいて前記乗物を認識可能に、かつ、当該乗物情報の乗物降車駅情報に基づいて、所定の表示を行なう請求項５記載の座席状況提供システム。
【請求項７】
前記情報提供サーバが、一又は二以上の前記乗物情報を記憶する乗物情報記憶手段と、
前記乗物情報記憶手段に記憶された乗物情報のうち、所定の乗物検索情報に基づいて、特定の乗物に対応する乗物情報を取り出す乗物情報取出手段と、
前記乗物情報取出手段で取り出した乗物情報を前記通信端末側に出力する乗物情報出力手段を備え、
前記通信端末が、
前記乗物検索情報を作成し、当該乗物検索情報を前記情報提供サーバに送信する検索情報送信手段を備え、
前記座席情報取出手段が、前記乗物検索情報に基づいて、前記特定の乗物の乗物情報を取り出す請求項６記載の座席状況提供システム。
【請求項８】
前記座席識別情報に関連付けられるとともに前記座席に着いた乗客の降車駅情報を含む座席情報を作成する座席情報作成手段を備え、
前記表示手段が、前記座席情報作成手段で作成された座席情報を読み込んで、前記座席の位置を認識可能に、前記座席識別情報に基づく所定の表示を行なう請求項５〜７のいずれか一項に記載の座席状況提供システム。
【請求項９】
前記表示手段が、前記乗物内に備えられる表示パネルである請求項１〜４のいずれか一項に記載の座席状況提供システム。
【請求項１０】
前記表示手段が、前記降車駅情報作成手段が作成した降車駅情報に基づいて、推定した降車駅の駅名を表示する請求項１〜９のいずれか一項に記載の座席状況提供システム。
【請求項１１】
前記乗物が、複数列設された列車の一部又は全部である請求項１〜１０のいずれか一項に記載の座席状況提供システム。
【請求項１２】
前記乗車履歴記憶媒体が、ＩＣカード型乗車券で構成される請求項１〜１１のいずれか一項に記載の座席状況提供システム。
【請求項１３】
乗客用の座席を備える乗物の座席状況提供方法であって、
前記座席に着いた乗客の乗車履歴情報記憶媒体が記憶した乗車履歴情報を読み込む乗車履歴情報読込ステップと、
前記乗車履歴読込手段で読み込んだ乗車履歴情報に基づいて、前記座席に着いた乗客が降車すると推定される降車駅の降車駅情報を作成する降車駅情報作成ステップと、
前記降車駅情報作成手段が作成した降車駅情報に基づいて所定の表示を行なう表示ステップとを含むことを特徴とする座席状況提供方法。
【請求項１４】
前記降車駅情報作成ステップが、前記乗車履歴情報から乗客が乗った前記乗物に応じた乗車履歴を抽出する乗車履歴抽出ステップと、
前記乗車履歴抽出手段で抽出した乗車履歴に、所定条件で優先順位を付与する順位付与ステップとを含み、前記乗車履歴抽出ステップで抽出された乗車履歴及び前記順位付与ステップで付与された優先順位を含む降車駅情報を作成し、
前記表示ステップが、前記降車駅情報の優先順位に基づいて所定の表示を行なう請求項１３記載の座席情報提供方法。
【請求項１５】
乗客用の座席を備える乗物の座席状況を提供するコンピュータを、
前記座席に着いた乗客の乗車履歴情報記憶媒体が記憶した乗車履歴情報を読み込む機能、
前記乗車履歴読込手段で読み込んだ乗車履歴情報に基づいて、前記座席に着いた乗客が降車すると推定される降車駅の降車駅情報を作成する機能、
前記降車駅情報作成手段が作成した降車駅情報に基づいて所定の表示を行なう機能、を実現させるための座席状況提供プログラム。
【請求項１６】
前記降車駅情報作成機能において、前記乗車履歴情報から乗客が乗った前記乗物に応じた乗車履歴を抽出する機能、
前記乗車履歴抽出手段で抽出した乗車履歴に、所定条件で優先順位を付与する機能、
前記抽出された乗車履歴及び当該乗車履歴に付与された優先順位を含む降車駅情報を作成する機能、
前記降車駅情報の優先順位に基づいて所定の表示を行なわせる機能を、実現するための請求項１５記載の座席情報提供プログラム。
【請求項１７】
乗客用の座席を備える乗物における所定表示手段に降車すると推定される降車駅の降車駅情報を提供する座席情報提供装置であって、
乗車履歴情報を記憶する乗車履歴情報記憶媒体と、
前記座席に着いた乗客の乗車履歴情報記憶媒体が記憶した乗車履歴情報を読み込む乗車履歴情報読込手段と、
前記乗車履歴読込手段で読み込んだ乗車履歴情報に基づいて、前記降車駅情報を作成する降車駅情報作成手段と、を備えることを特徴とする座席情報提供装置。
【請求項１８】
前記降車駅情報作成手段が、前記乗車履歴情報から乗客が乗った前記乗物に応じた乗車履歴を抽出する乗車履歴抽出手段と、
前記乗車履歴抽出手段で抽出した乗車履歴に、所定条件で優先順位を付与する順位付与手段と、を備え、
前記乗車履歴抽出手段で抽出された乗車履歴及び前記順位付与手段で付与された優先順位を含む降車駅情報を作成し、
前記表示手段に前記降車駅情報の優先順位に基づいて所定の表示を行なわせる請求項１７記載の座席情報提供装置。
【発明の詳細な説明】
【技術分野】
【０００１】
本発明は、公共交通機関である電車、モノレール、バス、客船などの乗物における座席に関する情報を提供する座席状況提供システム、座席状況提供方法、座席状況提供プログラム及び座席情報提供装置に関する。
【背景技術】
【０００２】
公共交通機関である電車、モノレール、バス、客船などの乗物には、乗客用の座席が備えられているものがある。乗客は、その座席が空いていれば自由に着席することができる。
しかしながら、例えば、電車、バスなどの車両に乗車したときに、乗客が、体調が悪い等の理由でどうしても座席に座りたいときであっても、他の乗客が着席することにより車両が満席の場合には、着席した乗客がいる座席の前に立ち、その着席した乗客が降車などに際して席を立つまで待つことが多かった。
また、立っている乗客が、着席した乗客がどの駅で降車するのかを推測することは、非常に困難であり、立ったまま目的の駅に到着する場合が多かった。また、事前にどの車両が座れる可能性が高い車両であるかを判断する手段もなかった。
【０００３】
このような問題を解決するための技術としては、例えば、特許文献１及び２記載のものが提案されている。
特許文献１には、情報通知システムの技術が記載されている。
この情報通知システムは、乗車情報を送信する送信装置を備える切符と、乗車情報を受信する受信装置と、受信装置が受信した乗車情報を解析することにより、乗車情報に基づく表示を表示装置に行なわせるデータ処理装置とを備えている。
【０００４】
また、特許文献２には、列車座席状況表示システムの技術が記載されている。
この列車座席状況表示システムは、非接触ＩＣカードの乗車区間情報を読み取る非接触ＩＣカード読取座席と、非接触ＩＣカード読取座席で読み取った乗車区間情報が、通信中継装置を経由して送られる通信制御装置と、通信制御装置の処理に応じて所定の表示が行なわれる表示パネルとを備えている。
【０００５】
通信制御装置は、座席状況リストを作成更新し、停車駅に到着しドア開閉指示を受信すると始発からの通産ドア開放回数をカウントアップしその回数で停車駅情報を検索し到着駅名又は、次の停車駅名を取得し、座席状況リストの乗車区間をチェックする。
そして、通信制御装置は、次の停車駅で降車する乗客の座席の表示灯に点灯を指示し、座席状況リストの座席状態より各座席空き状態を作成するとともに、これを車内及び車外にそれぞれ設けられる表示パネルに表示させる。
また、表示灯は、乗り越す場合等において、所定の操作を行なうことにより点灯表示を消灯とすることができる。
【０００６】
特許文献１及び２記載の技術によれば、切符やＩＣカードに含まれた乗車情報に基づいて、降車駅名の表示や降車駅が近いことの表示を行なうことにより、立っている乗客などが、乗車の際や乗車後の早い段階で乗客がどの席が空き席になりやすいかを把握できるようになり、この立っている乗客を早期に着席させることができる。
【０００７】
また、この種の技術に関連した技術としては、特許文献３記載の降車駅報知装置が提案されている。
この特許文献３記載の降車駅報知装置は、客車の各座席に設けられた磁気読取装置を備えており、この磁気読取装置で読み取った座席に着いた乗客の乗車券の磁気記録に基づいて、車内に設置された警報手段を起動させる。
このようにすると、降車駅報知装置は、警報手段の起動により、座席に着いた乗客に、降車を促すことができる。
【０００８】
【特許文献１】特開平０９−１９０４８５号公報
【特許文献２】特開２００３−０４４５５８号公報
【特許文献３】特開平０７−３０６６３８号公報
【発明の開示】
【発明が解決しようとする課題】
【０００９】
しかしながら、特許文献１及び２記載の技術においては、乗客は、乗車区間や、乗車区間に対応した金額の切符やＩＣカードを持っている必要があるので、例えば、乗客が、乗車料金がチャージされて用いられるＩＣカード型乗車券などの情報記憶媒体を用いた場合に対応できないという問題があった。
すなわち、例えば、定期券機能のない単なるＩＣカード型乗車券においては、一般的に、チャージされた乗車料金から必要な分の乗車料金が引き落とされるので、記憶した金額情報と乗車区間との間に関連性がなく、このＩＣカード型乗車券を用いた乗客が座席に着いたときに、表示が行なわれないという問題があった。
【００１０】
また、特許文献１及び２記載の技術においては、定期券機能を有したＩＣカード型乗車券であっても、定期券機能が無効となる区間外においては、上記の定期券機能がないＩＣカード型乗車券と同様の問題を有することとなる。
また、特許文献３記載の技術においては、定期券機能が有効な路線であって、その路線内の定期券区間外の駅で頻繁に降車している場合であっても、表示灯に所定の操作を行なわなければならず煩雑であった。
また、この操作をせずにいると、降車駅として表示されている駅を過ぎても乗客が座席に着いていることになるので、空席になることを期待して立っている乗客及び着席している乗客をともに不快にしてしまうおそれもあった。
【００１１】
また、特許文献２記載の技術においては、電車の外部に空席情報を表示する機能があるが、電車がホームに到着していないとこの表示を見ることができないという問題があった。
着席したい者が、例えば、障碍者、老人又は傷病者などであるときには、車両の外部の表示を見てから空いている車両に移動することが困難であるという問題があった。また、このような者が、電車に乗車してから移動することは、走行中の電車内で生じた揺れにより転倒するなどの危険性があり、望ましくなく、ホームに到着する前に空席状況を知りたいという要望があった。
また、公共交通機関の職員も運行中の電車に関する情報を持っていないので、乗客から同様の問い合わせがあった場合に状況を答えることは困難であった。
【００１２】
本発明は、以上のような従来の技術が有する問題を解決するために提案されたものであり、乗車区間情報を記憶していないタイプ及び定期券機能を有していないタイプのＩＣカード型乗車券が用いられたり、定期券機能を有しているＩＣカード型乗車券が無効となる区間外において用いられたりする場合であっても、着席している乗客の降車駅に関連する表示を行なうことができるようにして、立っている乗客が早期に席に座ることができるようにし、また、どの位置の座席が空席になりやすくなるかを乗物の到着前に知ることができるようにして立っている乗客やホーム、停留所などで待っている乗客が容易に着席できるようにした座席状況提供システム、座席状況提供方法、座席状況提供プログラム及び座席情報提供装置の提供を目的とする。
【課題を解決するための手段】
【００１３】
上記目的を達成するため、本発明の座席状況提供システムは、乗客用の座席を備える乗物の座席状況提供システムであって、乗車履歴情報を記憶する乗車履歴情報記憶媒体と、前記座席に着いた乗客の乗車履歴情報記憶媒体が記憶した乗車履歴情報を読み込む乗車履歴情報読込手段と、前記乗車履歴読込手段で読み込んだ乗車履歴情報に基づいて、前記座席に着いた乗客が降車すると推定される降車駅の降車駅情報を作成する降車駅情報作成手段と、前記降車駅情報作成手段が作成した降車駅情報に基づいて所定の表示を行なう表示手段とを備えている。
【００１４】
また、本発明の座席状況提供方法は、乗客用の座席を備える乗物の座席状況提供方法であって、前記座席に着いた乗客の乗車履歴情報記憶媒体が記憶した乗車履歴情報を読み込む乗車履歴情報読込ステップと、前記乗車履歴読込手段で読み込んだ乗車履歴情報に基づいて、前記座席に着いた乗客が降車すると推定される降車駅の降車駅情報を作成する降車駅情報作成ステップと、前記降車駅情報作成手段が作成した降車駅情報に基づいて所定の表示を行なう表示ステップとを含んでいる。
【００１５】
また、本発明の座席状況提供プログラムは、乗客用の座席を備える乗物の座席状況を提供するコンピュータを、前記座席に着いた乗客の乗車履歴情報記憶媒体が記憶した乗車履歴情報を読み込む機能、前記乗車履歴読込手段で読み込んだ乗車履歴情報に基づいて、前記座席に着いた乗客が降車すると推定される降車駅の降車駅情報を作成する機能、前記降車駅情報作成手段が作成した降車駅情報に基づいて所定の表示を行なう機能、を実現させるため構成としている。
【００１６】
また、本発明の座席状況提供装置は、乗客用の座席を備える乗物における所定表示手段に降車すると推定される降車駅の降車駅情報を提供する座席情報提供装置であって、乗車履歴情報を記憶する乗車履歴情報記憶媒体と、前記座席に着いた乗客の乗車履歴情報記憶媒体が記憶した乗車履歴情報を読み込む乗車履歴情報読込手段と、前記乗車履歴読込手段で読み込んだ乗車履歴情報に基づいて、前記降車駅情報を作成する降車駅情報作成手段と、を備える構成としている。
【発明の効果】
【００１７】
本発明の座席状況提供システム、座席状況提供方法、座席状況提供プログラム及び座席情報提供装置は、着席している乗客の降車駅に関連する表示を行なうことができるようになり、立っている乗客が早期に席に座らせることができる。
また、どの位置の座席が空席になりやすくなるかを乗物の到着前に知らせることができ、立っている乗客やホーム、停留所などで待っている乗客を容易に着席させることができる。
【発明を実施するための最良の形態】
【００１８】
以下、本発明に係る座席状況提供システムの好ましい実施形態について説明する。
まず、図１〜３を参照して本発明の一実施形態に係る座席状況提供システムについて説明する。
図１及び図２は、本発明の一実施形態に係る座席状況提供システムを示す概略図である。
図３は、本発明の一実施形態に係る座席状況システムのブロック図である。
【００１９】
これらの図に示すように、本実施形態の座席状況提供システムは、公共交通機関である電車、バス、客船などの乗物における乗客用の座席の状況についての情報を、立っている乗客や駅で待っている乗客に知らせるシステムである。
この座席状況提供システムは、ＩＣカード型乗車券１と、座席２０側に設けられＩＣカード型乗車券１を読取可能なＩＣカード読取装置２と、ＩＣカード読取装置２で読み取った情報に基づいて所定の処理を行なうサーバ装置３とを備えている。
本実施形態の座席状況提供システムにおける乗物は、所定の路線Ｌ１、Ｌ２（図４参照）上を移動するとともに、複数の車両が連結された列車Ｔ１〜Ｔ４の座席の状況を提供する構成としている。
【００２０】
ＩＣカード型乗車券１は、予め、所定の金額をチャージして用いられるものである。このＩＣカード型乗車券１は、自動改札装置において、乗車駅情報及び降車駅情報など所定の情報が書き込まれるとともに、降車駅で乗車駅に対応する運賃を、チャージした金額から差し引くことにより、乗車運賃の支払いがなされる。
【００２１】
また、ＩＣカード型乗車券１は、本発明の乗車履歴情報記憶媒体であり、本実施形態においては、非接触タイプが用いられる。
この乗車履歴情報記憶媒体としてのＩＣカード型乗車券１は、内蔵されたＩＣカードチップに、乗車履歴情報１０を記憶している。
乗車履歴情報１０は、図４及び図５に示すように、例えば、月日、乗車駅、降車駅及びチャージ金額の残高などを含む、所定件数（本実施形態では１５件）の乗車履歴からなる。
【００２２】
ＩＣカード読取装置２は、本発明の乗車履歴情報読込手段であり、各座席２０に個別に設けられており、着席した人が所有するＩＣカードチップに記憶された乗車履歴情報１０を読み取る機能を備えている。
このＩＣカード読取装置２は、例えば、座席２０に乗客が着くと、所定周波数の電波を出力するとともに、この電波に応じたＩＣカード型乗車券１の返信電波に含まれる乗車履歴情報１０を読み込む。
また、ＩＣカード読取装置２は、座席２０を識別可能な座席識別情報とともに乗車履歴情報１０をサーバ装置３に出力する。
【００２３】
サーバ装置３は、各列車Ｔ１〜Ｔ４に設けられているものであって、本発明の降車駅情報作成部３０を備えている。
降車駅情報作成部３０は、各座席２０に備えられたＩＣカード読取装置３からの乗車履歴が入力されるとともに、この乗車履歴情報１０に基づいて、各座席２０に着いた乗客が降車すると推定される降車駅の降車駅情報を作成する機能を備えている。
降車駅情報は、例えば、路線ＩＤ及びその路線に対応した駅ＩＤで構成されている。
【００２４】
また、降車駅情報作成部３０は、乗車履歴情報から乗客が乗った列車Ｔ１〜Ｔ４の路線Ｌ１、Ｌ２と同じ乗車区間の乗車履歴を抽出する乗車履歴抽出部３１と、乗車履歴抽出部３１が抽出した乗車履歴における乗車区間が同一の乗車履歴を集計する乗車履歴集計部３３と、乗車履歴集計部３３で集計した乗車履歴に、所定条件で優先順位を付与する順位付与部３２と、を備える構成としている。
そして、サーバ装置３は、乗車履歴抽出部３１で抽出された乗車履歴及び順位付与部３２で付与された優先順位を含む降車駅情報を作成する。
【００２５】
乗車履歴抽出部３１は、乗車履歴情報１０のうち、現在乗車している車両（列車Ｔ１〜Ｔ４）の路線Ｌ１、Ｌ２上の駅を抽出する。また、乗車履歴抽出部３１は、列車の進行方向が同一、かつ、列車の路線Ｌ１、Ｌ２上の現在位置が乗車区間内となる乗車履歴を抽出する。
順位付与部３２は、乗車履歴集計部３３で集計した乗車履歴のうち、利用回数の多い乗車区間の乗車履歴から順に優先順位を付与する。
また、順位付与部３２は、乗車履歴集計部３３で集計した乗車履歴のうち、利用回数が同数の乗車履歴に対し、最後に利用された乗車区間が新しい方の乗車履歴を上位とする優先順位を付与する構成としている。
【００２６】
また、サーバ装置３は、座席２０に着いた乗客の降車駅情報を含む座席情報を作成する座席情報作成部３４とを備えている。
座席情報作成部３４は、座席識別情報に対応する座席２０に着いた乗客の降車駅情報に、この座席２０を識別可能な座席識別情報を関連付けて座席情報を作成する。
また、座席情報作成部３４は、ＩＣカード読取装置２が乗車履歴とともに送る座席識別情報を、この乗車履歴に対応する降車駅情報に関連付けて座席情報を作成する。
【００２７】
また、サーバ装置３は、座席情報を車両ごとに集約した乗物降車駅情報を作成する車両降車駅情報作成部３５と、車両降車駅情報作成部３５が作成した乗物降車駅情報及び乗物降車駅情報に対応する乗物識別情報を関連付けた乗物情報を作成する列車情報作成部３６と、を備えている。
車両降車駅情報作成部３５は、本発明の乗物降車駅情報作成手段であり、乗物降車駅情報として、座席情報を車両毎に集約して車両降車駅情報を作成する。
【００２８】
また、列車情報作成部３６は、本発明の乗物情報作成手段であり、乗物情報として列車情報を作成する。この列車情報作成部３６は、各車両降車駅情報と車両を識別可能な車両識別情報とを関連付ける。また、列車情報作成部３６は、車両識別情報が関連付けられた車両降車駅情報を集約した情報と、列車Ｔ１〜Ｔ４毎に識別可能な列車識別情報とを関連付けて列車情報を作成する。
そして、サーバ装置３は、例えば、所定のタイミングで、列車情報を作成するとともに、作成した列車情報を順次、所定のネットワーク（本実施形態ではインターネット９）を介して後述のＷｅｂサーバ装置７に送る。
【００２９】
また、座席状況提供システムは、サーバ装置３からの降車駅情報が入力される降車駅表示装置４と、列車情報が入力されるＷｅｂサーバ装置７とを備えている。
降車駅表示装置４は、本発明の表示手段である表示パネル４０を備えており、サーバ装置３からの降車駅情報に基づいて表示パネル４０に所定の表示を行なう。
本実施形態の降車駅表示装置４は、例えば、入力された降車駅情報に基づいて、優先順位が最上位の乗車履歴の降車駅名から順に表示する機能を備えている。
【００３０】
Ｗｅｂサーバ装置７は、サーバ装置３とともに本発明の情報提供サーバを構成するものであって、サーバ装置３から出力される列車情報がインターネット９を介して入力されるとともに、インターネット９を介して、携帯電話やパーソナルコンピュータなどの通信端末６、８により、列車情報の閲覧を可能としている。
【００３１】
また、Ｗｅｂサーバ装置７は、一又は二以上の列車情報を記憶する列車情報記憶部７１と、列車情報記憶部７１に記憶された列車情報のうち、所定の列車検索情報に基づいて、特定の車両に対応する列車情報を取り出す列車情報取出部７２と、列車情報取出部７２で取り出した列車情報を通信端末６、８側に出力する列車情報出力部７３を備えている。
列車情報記憶部７１は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等の記憶装置で構成されており、本発明の乗物情報としてサーバ装置３からの列車情報を記憶する。
【００３２】
また、列車情報記憶部７１に記憶された列車情報は、列車情報管理部７０により管理されている。
列車情報管理部７０は、本発明の乗物情報管理手段であって、列車情報を、列車Ｔ１〜Ｔ４毎にデータベース化して列車情報記憶部７１に記憶しており、サーバ装置３から列車情報が送信される度に、新規記憶又は更新記憶を行なう。
【００３３】
列車情報取出部７２は、本発明の乗物情報取出手段であって、後述の通信端末から送信された列車検索情報に基づいて、列車識別情報とこの列車識別情報に対応する列車Ｔ１〜Ｔ４の運行状況とが関連付けられた所定のデータベースを検索して、列車識別情報を検索する。そして、列車情報取出部７２は、この列車識別情報に対応する列車情報を、列車情報記憶部７１から取り出す。
列車検索情報は、列車Ｔ１〜Ｔ４の路線、列車Ｔ１〜Ｔ４の進行方向、各列車Ｔ１〜Ｔ４の駅からの発車時刻を特定可能な情報であって、例えば、出発駅、目的駅、日時などの情報からなる。
【００３４】
なお、本実施形態の情報提供サーバであるサーバ装置３及びＷｅｂサーバ装置７の各部は、これらのサーバ装置３，７が備える、例えば、ＨＤＤ、ＳＤＤなどのプログラムを記憶可能な記憶手段（図示せず）に記憶されるプログラムで実現されており、このプログラムがＲＡＭにロードされ、ＣＰＵで実行されることにより、上述の各部の機能を実現する構成としている。
【００３５】
通信端末６、８は、本実施形態においては、所定の表示を行なう表示部６０、８０を備えており、この表示部６０、８０が本発明の表示手段の一つである。また、この通信端末６、８は、例えば、乗客が所有する携帯電話などの移動通信端末６及び駅員や車掌が所有する専用端末８などである。
また、移動通信端末６は、本実施形態においては、図示しない公衆電話回線網を用いて通話可能な携帯電話であり、列車検索情報を作成して、Ｗｅｂサーバ装置７にこの列車検索情報を送信する検索情報送信部６１を備えている。
【００３６】
移動通信端末６の検索情報送信部６１は、例えば、Ｗｅｂサーバ装置にインターネット９を介して接続したときに、このＷｅｂサーバ装置７が提供するＷｅｂページにより検索情報の作成がなされる。すなわち、移動通信端末６は、表示部６０の表示画面にこのＷｅｂページを表示するとともに、ユーザがこの表示を視認して所定の入力操作を行なうことにより、特定の列車Ｔ１〜Ｔ４を検索するための列車検索情報（乗物検索情報）を作成可能となっている。
専用端末８は、移動通信端末６とほぼ同様の構成としてあるが、検索情報送信部６１のかわりに、予め設定された駅情報や路線情報などを検索情報として作成可能、かつ、この設定された検索情報をＷｅｂサーバ装置７に送信する設定情報送信部８１を備えている。専用端末８は、設定情報送信部８１により、所定の検索情報の一部又は全部の入力を省くこともできるようになっている。
【００３７】
また、これらの通信端末６、８の表示部８０は、図６に示すように、例えば、その表示画面に、座席情報作成部３４で作成された座席情報を読み込むとともに、座席識別情報に基づいて座席２０の位置を認識可能に所定の表示を行なう。
本実施形態においては、Ｗｅｂサーバ装置７の列車情報出力部７３が、列車情報、座席情報に基づいて、列車Ｔ１〜Ｔ４全体の座席状況及び車両全体の座席状況が視識可能なデータに加工しており、通信端末６、８の表示部６０、８０の画面に、このデータに基づく所定の画像を表示せしめる。
表示部６０、８０の画面に表示される画像としては、例えば、列車Ｔ１〜Ｔ４の各車両毎の第一の画像（図６（ａ）参照）や、各車両内の所定の部位の第二の画像（図６（ｂ）参照）がなされる。
【００３８】
第一の画像は、例えば、列車Ｔ１〜Ｔ４の各車両において、将来的に近い駅で降車が予想される乗客の量が車両毎に視認可能な図である。
また、第二の画像は、第一の表示の列車Ｔ１〜Ｔ４の車両を、通信端末の操作部で指定操作することにより表示されるものであって、例えば、車両内を八分割した部位において、将来的に近い駅で降車が予想される乗客の量が部位毎に視認可能な図である。
【００３９】
この第一及び第二の画像は、将来的に近い駅で降車が予想される乗客を、「緑、黄、赤」等の色彩、色彩の濃淡、「○、×、△」等の図形及び所定の図柄などにより視認可能としている。本実施形態においては、第一及び第二の表示は、色彩の濃淡により視認可能としており、例えば、色彩の濃い車両及び部位が、近い駅で降車する乗客が多く、また、色彩の薄い車両及び部位が近い駅で降車する乗客が少ない表示となっている。
このようにすると、ユーザが、表示部６０、８０を視認することにより、列車Ｔ１〜Ｔ４やその車両全体における着席した乗客の降車の傾向が一目で認識できる。そのため、ユーザに、車両や、列車Ｔ１〜Ｔ４の位置のどの部分が着席容易であるかを即座に認識させることができる。
【００４０】
なお、表示部６０、８０の表示としては、このような画面だけでなく、例えば、席番号や、車両、車両内の部位などが特定できればよく、これらをテキスト表示するようにしてもよい。また、座席情報に基づいて、各座席２０に着いた乗客が降りると推定される降車駅名を表示するようにしてもよい。
【００４１】
次に、以上のような構成からなる本実施形態の座席状況提供システムの動作について、図７〜図１０に示すフローチャート図を参照しつつ説明する。
ここでは、例えば、乗客が、非接触型ＩＣカード型乗車券１を用いて所定の路線で運行される電車Ｔ１〜Ｔ４などを利用することにより（図４参照）、乗車履歴が非接触型ＩＣカード乗車券１内に記憶された場合について説明する（図５参照）。
【００４２】
この状態で、乗客が、例えば、列車Ｔ１に乗車して座席２０に着くと（Ｓ１−１、図７参照）、ＩＣカード情報読取装置２から出力される所定の周波数の電波を受けてＩＣカード型乗車券１が、乗車履歴情報を含む電波を出力する（Ｓ１−２）。このＩＣカード情報読取装置２が、ＩＣカード型乗車券１からの乗車履歴情報を含む電波を受けることにより、乗車履歴情報を読み取る（Ｓ１−３）。
ＩＣカード情報読取装置２は、読み取った乗車履歴情報をサーバ装置３へ送信する（Ｓ１−４）。サーバ装置３は、ＩＣカード情報読取装置２から乗車履歴情報を受信すると（Ｓ１−５）、受信した乗車履歴情報から降車駅情報の作成処理を行う（Ｓ１−６）。
【００４３】
サーバ装置３は、現在の路線上に位置する乗車区間の乗車履歴が乗車履歴情報内にあるか判定を行ない、判定結果が有りの場合（Ｓ２−１Ｙｅｓ、図８参照）、該当する乗車履歴を抽出する（Ｓ２−１０）。
次に、サーバ装置３は、現在の列車の位置が、乗車履歴の乗車区間内にあるものをさらに抽出するとともに（Ｓ２−３）、これらを集計し利用回数などに応じて優先順位を付与し（Ｓ２−４〜Ｓ２−６）、優先順位を確定する（Ｓ２−７）。
【００４４】
すなわち、サーバ装置３は、例えば、ＩＣカード型乗車券１を所有して座席２０に着いた乗客が、Ａ駅及びＣ駅側間に位置する列車Ｔ１に乗車している場合には、乗車履歴中の本路線Ｌ１上の乗車区間であるＮｏ１〜５、１０〜１５を抽出する（Ｓ２−１Ｙｅｓ、Ｓ２−１０）。さらに、これらの乗車履歴から列車Ｔ１の進行方向がＡ駅からＣ駅側であり、列車Ｔ１の位置がＡ駅とＢ駅との間であることから、Ｎｏ１、３、１０、１２、１４を抽出して集計する（Ｓ２−３）。乗車履歴を集計すると、Ａ駅からＣ駅への乗車履歴が一回、Ａ駅からＢ駅への乗車履歴が四回となる。
【００４５】
次に、順位付与部３２は、利用回数が同じ乗車区間が複数存在するか判定する（Ｓ２−４）。なお、順位付与部３２は、利用回数が同じ乗車区間がないので（Ｓ２−５Ｎｏ）、そのままの優先順位として、降車駅の優先順位がＡ駅からＢ駅、Ａ駅からＣ駅の順となる降車駅情報を設定する（Ｓ２−７）。
【００４６】
そして、サーバ装置３は、この降車駅情報を確定し（Ｓ２−９）、乗客が着いた座席位置に対応した降車駅表示装置４に出力する（Ｓ１−７、図７参照）。
降車駅表示装置４は、サーバ装置３から降車駅情報を受信すると（Ｓ１−８）、表示パネル４０に降車駅情報に設定された降車駅名「Ｂ駅」の表示を行なう（Ｓ１−９）。
【００４７】
また、例えば、乗客が、列車Ｔ３に乗車するとともに、いずれかの座席２０に着くと、上記と同様にして、サーバ装置３は、現在の第二の路線Ｌ２上に位置するとともに、進行方向及び乗車区間が同じ乗車履歴を抽出し（Ｎｏ６〜９）、これらの乗車履歴を集約する（Ｓ２−１Ｙｅｓ、Ｓ２−１０、Ｓ２−２Ｙｅｓ、Ｓ２−３）。
サーバ装置３は、乗車履歴が集計されると、Ｄ駅からＦ駅への乗車履歴が一回、Ｄ駅からＥ駅への乗車履歴が一回であり、これらの利用回数が同数なので、最終履歴の新しい方であるＤ駅からＦ駅へ乗車履歴（Ｎｏ９）を含む群の乗車履歴を上位の優先順位を付与して降車駅情報を設定する（Ｓ２−４、Ｓ２−５Ｙｅｓ、Ｓ２−６、Ｓ２−７、Ｓ２−９）。
降車駅表示装置４は、サーバ装置３から降車駅情報を受信すると（Ｓ１−７、Ｓ１−８）、表示パネル４０に、降車駅情報に設定された降車駅名「Ｆ駅」の表示を行なう（Ｓ１−９）。
【００４８】
また、サーバ装置３は、路線Ｌ１、Ｌ２に該当する乗車履歴がないときや（Ｓ２−１Ｎｏ）、車両の走行区間が乗車履歴の区間外のときは（２−２Ｎｏ）、判定結果がなしの場合、降車駅情報に未表示の設定とし（Ｓ２−８、Ｓ２−９）、降車駅表示装置４に、なんらの表示も行なわせないようにする（Ｓ１−７〜Ｓ１−９）。
このようにして、サーバ装置３は、路線Ｌ１、Ｌ２上の列車Ｔ２、Ｔ４に乗車したときにおいても同様に、座席２０に着いた乗客のＩＣカード型乗車券１が、読み取られるとともに、その乗車履歴に基づく降車駅情報を作成する。
【００４９】
また、座席２０に着いた乗客が席を立ったときには（Ｓ−１０）、ＩＣカード読取装置２が、ＩＣカード型乗車券１を読取不能となるとともに座席２０に乗客が不在となると（Ｓ１−１１）、ＩＣカード読取装置１が、不在状態情報をサーバ装置３に送信する（Ｓ１−１２）。
サーバ装置３が、不在状態情報を受信すると（Ｓ１−１３）、非表示の降車駅情報を降車駅表示装置４に送信する（Ｓ１−１４）。また、降車駅表示装置は、非表示の降車駅情報を受信すると（Ｓ１−１５）、降車駅名をなんら表示しない状態となる（Ｓ１−１６）。
【００５０】
また、サーバ装置３において、座席情報作成部３４が、作成された降車駅情報に座席識別情報を付与して座席情報を作成し（Ｓ３−１、図９参照）、車両降車駅情報作成部３４が、各座席２０の座席情報を集約して車両降車駅情報を作成する（Ｓ３−２）。
そして、サーバ装置３は、列車情報作成部３６が、車両降車駅情報を集約した情報に、列車識別情報を付与して列車情報を作成し（Ｓ３−３）、この列車情報を適時に、Ｗｅｂサーバ装置７に送信する（Ｓ３−４）。
【００５１】
Ｗｅｂサーバ装置５は、サーバ装置３から列車情報を受信すると（Ｓ３−５）、列車情報管理部７０が以下の処理を行なう（Ｓ３−６）。
また、列車情報管理部７０は、列車情報を取得すると（Ｓ４−１、図１０参照）、受信した列車情報と列車情報記憶部７１に記憶された列車情報とを比較して、列車識別情報が同一の列車情報の有無を判定し、これが有る場合には（Ｓ４−２Ｙｅｓ）、記憶してある列車情報を受信した列車情報で上書きして更新する（Ｓ４−３）。
また、列車情報管理部７０は、列車識別情報が同一の列車情報が無い場合には（Ｓ４−２Ｎｏ）、列車情報を列車情報記憶部７１に新規登録する（Ｓ４−４）。
【００５２】
そして、列車情報管理部７０は、更新した列車情報又は新規記憶した列車情報を、それぞれ登録設定する（Ｓ４−５）。
Ｗｅｂサーバ装置７は、上記の処理を、列車情報を受信するたびに繰り返すことにより、最新の座席２０の状況に対応した列車情報が列車情報記憶部７１に記憶されておくようにする。
【００５３】
次に、移動通信端末６のユーザが、座席状況を見るときには以下のようになる。
移動通信端末６は、ユーザが所定の操作を行なうことにより、Ｗｅｂサーバ装置５にインターネットを介して接続される。そして、検索情報送信部６１が、列車検索情報をＷｅｂサーバ装置５に出力する（Ｓ３−１８）。
【００５４】
Ｗｅｂサーバ装置７は、移動通信端末６から列車検索情報を受信すると（Ｓ３−７）、列車情報取出部７２が、運行状況のデータベースから対応する列車識別情報を検索し（Ｓ３−８）、この列車識別情報に基づいて、列車情報記憶部７１から列車情報を取り出す（Ｓ３−９）。次に、Ｗｅｂサーバ装置７は、列車情報に対して所定のデータ処理を行なうとともに、処理後のデータを移動通信端末６に送信する（Ｓ３−１０）。そして、移動通信端末６は、この列車情報に基づくデータを受信すると（Ｓ３−１１）、表示部６０に表示する（Ｓ３−１９、図６（ａ）（ｂ）参照）。
【００５５】
また、専用端末８が用いられるときは、予め、駅員や車掌などの職員によって、予め、列車検索情報の一部又は全部を設定しておく。
この状態で、専用端末８の設定情報送信部８１は、所定の操作を行なうことにより、設定された列車検索情報を、設定情報としてＷｅｂサーバ装置５に送信する（Ｓ−１２）。Ｗｅｂサーバ装置５は、専用端末７から設定情報を受信すると（Ｓ３−１３）、上記と同様にして、設定情報に対応する列車情報を情報を取り出すとともに（Ｓ３−１４）、これに基づくデータを専用端末７に送信する（Ｓ３−１５）。専用端末７は、データを受信すると（Ｓ３−１６）、受信結果を表示する（Ｓ３−１７）。
【００５６】
以上説明したように、本実施形態に係る座席状況提供システムは、ＩＣカード型乗車券（乗車履歴記憶媒体）が記憶した過去の乗車駅及び降車駅の乗車履歴情報を、ＩＣカード読取装置で読み取るとともに、サーバ装置で、この読み込んだ乗車履歴情報に基づいて、降車駅情報を作成するので、乗車区間情報を記憶していなかったり、定期券機能が無効となる区間外であっても、降車駅が推定可能となる。
そして、座席状況提供システムは、この推定された降車駅の降車駅情報に基づいて、表示パネル４０や通信端末６、８の表示部６０、８０に、座席に着いている乗客の降車駅に関連する表示を行なうことができるようになうので、着席している乗客のＩＣカード型乗車券が、例えば、乗車料金などの乗車区間に関連する情報を有していなくても、立っている乗客などに、乗車の際や乗車後の早い段階で乗客がどの座席２０が早く空き席になりやすいかを把握させることができるようになる。そのため、この立っている乗客を早期に着席させることができる。
【００５７】
また、降車駅情報作成部３０において、乗車履歴抽出部３１が抽出した乗車履歴に、順位付与部３２で所定条件で優先順位を付与して、乗車履歴及び優先順位を含む降車駅情報を作成するとともに、降車駅情報の優先順位に基づいて表示パネル４０及び表示部６０、８０に所定の表示を行なわせるので、着席した乗客が降車すると推定される降車駅の推定精度を向上させることができる。
【００５８】
すなわち、順位付与手段部３２が、乗車履歴集計部３３で集計した乗車履歴の利用回数に基づいて優先順位を付与し、また、利用回数が同数の乗車履歴に対し、最後に利用が新しい方の乗車履歴を上位とする優先順位を付与するので、より一層、着席した乗客が降車すると推定される降車駅の推定精度を向上させることができる。
【００５９】
また、降車駅情報作成部３０を備えるサーバ装置３と、これと通信可能なＷｅｂサーバ装置４と、表示部６０、８０を有しＷｅｂサーバ装置４と通信可能な通信端末６、８とを備えたので、通信端末６、８のユーザに対し、車両の外部においても、座席２０の状況を認識することができる。
【００６０】
また、サーバ装置３において、列車情報作成部３６が、車両降車駅情報作成部３５が作成した車両降車駅情報及び車両降車駅情報に対応する車両の車両識別情報を関連付けた車両情報を作成するとともに、通信端末６、８の表示部６０、８０が、車両識別情報に基づいて車両を認識可能に、かつ、車両情報の車両降車駅情報に基づいて、所定の表示を行なうので、通信端末６、８のユーザが、所望の車両の座席２０の状況を把握できるようになる。
また、列車情報作成部３６が、車両降車駅情報を集約した情報及び列車識別情報を関連付けて作成した列車情報に基づいて通信端末６、８の表示部６０、８０が、所定の表示を行なうので、列車Ｔ１〜Ｔ３毎に座席２０の状況を把握できるようになる。
このようにすると、列車Ｔ１〜Ｔ４がホームに到着する前に、通信端末６、８のユーザが、車両の座席状況を認識させることができる。そのため、着席したい者が、列車Ｔ１〜Ｔ４がホームに到着する前に、着席が容易である車両が停車する位置に移動しておくことができるようになるなど、特に、障碍者、老人及び傷病者などに対して有効とすることができる。
【００６１】
また、Ｗｅｂサーバ装置７において、車両情報取出部７２が、車両情報記憶部７１に記憶された車両情報のうち、検索情報送信部６１及び設定情報送信部８１からの列車検索情報に基づいて、特定の列車に対応する列車情報を取り出すとともに、列車情報出力部７３で、この列車情報を通信端末６、８側に出力するので、所望の列車Ｔ１〜Ｔ４における車両の座席情報を、通信端末６、８のユーザに認識させることができる。これにより、通信端末のユーザが、列車Ｔ１〜Ｔ４の座席状況を検索することができるようになる。
【００６２】
また、通信端末の表示部が、座席情報作成部において、座席識別情報に関連付けられるとともに座席２０に着いた乗客の降車駅情報を含む座席情報を作成した座席情報を読み込んで、座席２０の位置を認識可能に、座席識別情報に基づく所定の表示を行なうので、通信端末のユーザが、車両内のどの位置が着席しやすいかを認識することができる。
【００６３】
また、座席状況提供システムが、表示パネル４０を備えているので、例えば、車両内に立っている乗客にこれを視認させることにより、ユーザが、特定の操作などを行なうことなく、着席した乗客がどこの駅で降車するかを予め予測することができる。
表示パネル４０が、降車駅の駅名を表示するので、対応する座席２０に着いた乗客が降車すると推定される駅を、周囲の乗客が知ることができるようになる。
なお、本システムの表示手段の一つが、降車駅表示装置４の表示パネル４０が降車駅の駅名を表示する構成としたが、例えば、広告表示や路線情報などの表示を行なうその他の表示装置であってもよい。また、このその他の表示装置が、例えば、第一及び第二の画像（図６）のような表示をするようにしてもよい。
【００６４】
また、乗車履歴記憶媒体が、ＩＣカード型乗車券１であるので、乗客に、乗車券とは別の媒体を所持させることなく、本システムを作動させることができる。また、既存のＩＣカード型乗車券を利用することもできるようになり、導入コストを低減することができる。
【００６５】
以上、本発明の座席状況提供システム、座席状況提供方法、座席状況提供プログラム及び座席情報提供装置について、好ましい実施形態を示して説明したが、本発明に係る座席状況提供システム、座席状況提供方法、座席状況提供プログラム及び座席情報提供装置は、上述した実施形態にのみ限定されるものではなく、本発明の範囲で種々の変更実施が可能であることは言うまでもない。
【００６６】
例えば、上述の実施形態において、車両が列設された列車の一部であるとしたが、これに限定されるものでなく、バス、モノレール、一両編成の電車、汽車、路面電車、無軌条電車であってもよい。
また、上述の実施形態において、乗物が、車両である構成としたが、例えば、客船、飛行船、飛行機などであってもよく、乗客用の座席のある乗物であればどのようなものでもよい。
従って、本発明に係る乗車履歴情報、降車駅履歴、乗車履歴、乗物降車駅情報等は、例えば、搭乗、乗船などの上記各種乗物に応じた乗物からの乗り降りに関するものとする。
【００６７】
通信端末の表示手段が、車両に実際に着席した乗客の乗車履歴のみに基づいて、所定の表示を行なう構成としたが、例えば、降車駅情報を、日時及び車両の種類ごとに蓄積しておき、この蓄積した降車駅情報とともに所定の表示を行なうようにしてもよい。このようにすると、ＩＣカード型乗車券を所持しなかったり乗車履歴がないＩＣカード型乗車券を所持した乗客などが着席することにより、乗車履歴情報記憶媒体であるＩＣカード型乗車券の読み取りが行なわれないときであっても、乗客が降車駅を推定できるようなる。
【００６８】
また、移動通信端末が、携帯電話機である構成としたがこれに限定されるものでなく、有線電話機に用いられるいわゆるコードレスフォン、携帯情報端末（ＰＤＡ）など、通信機能及び通信文書情報作成機能を有するものであればどのようなものであってもよい。
【図面の簡単な説明】
【００６９】
【図１】本発明の一実施形態に係る座席状況提供システムを示す概略構成図である。
【図２】本発明の一実施形態に係る座席状況提供システムを、Ｗｅｂサーバ装置及び通信端末を含んだ状態で示す概略構成図である。
【図３】本発明の一実施形態に係る座席状況提供システムを示すブロック図である。
【図４】本発明の一実施形態に係る座席状況提供システムにおいて、車両の路線の一例を示す図である。
【図５】本発明の一実施形態に係る座席状況提供システムにおける乗車履歴情報の一例を示す図である。
【図６】本発明の一実施形態に係る座席状況提供システムの通信端末において、（ａ）表示部に表示される第一の画像、（ｂ）第二の画像である。
【図７】本発明の一実施形態に係る座席状況提供システムにおいて、降車駅表示装置の表示パネルに所定の表示を行なうまでのタイミングチャートである。
【図８】本発明の一実施形態に係る座席状況提供システムにおいて、サーバ装置の降車駅情報作成処理の動作を示すフローチャート図である。
【図９】本発明の一実施形態に係る座席状況提供システムにおいて、通信端末の表示部に所定の表示を行なうまでのタイミングチャートである。
【図１０】本発明の一実施形態に係る座席状況提供システムにおいて、Ｗｅｂサーバ装置の列車情報管理の動作を示すフローチャート図である。
【符号の説明】
【００７０】
Ｔ１、Ｔ２、Ｔ３、Ｔ４  列車
Ｌ１、Ｌ２  路線
１  ＩＣカード型乗車券
１０  乗車履歴情報
２  ＩＣカード読取装置
３  サーバ装置
３０  乗車駅情報作成部
３１  乗車履歴抽出部
３２  乗車履歴集計部
３３  順位付与部
３４  座席情報作成部
３５  車両降車駅情報作成部
３６  列車情報作成部
４  降車駅表示装置
４０  表示パネル
６  移動通信端末
６０  表示部
６１  検索情報送信部
７  Ｗｅｂサーバ装置
７０  列車情報管理部
７１  列車情報記憶部
７２  列車情報取出部
７３  列車情報出力部
８  専用端末
８０  表示部
８１  設定情報送信部
【図１】
2009301499.tif 000003
【図２】
2009301499.tif 000004
【図３】
2009301499.tif 000005
【図４】
2009301499.tif 000006
【図５】
2009301499.tif 000007
【図６】
2009301499.tif 000008
【図７】
2009301499.tif 000009
【図８】
2009301499.tif 000010
【図９】
2009301499.tif 000011
【図１０】
2009301499.tif 000012